(57)【特許請求の範囲】
【請求項１】
左右戸袋部と、開放時に左右戸袋部に収納される左右外扉と、開放時に左右外扉に収納される左右内扉と、左外扉と左内扉を１対２の移動距離で同一方向に連動させる左扉連動装置と、右外扉と右内扉を１対２の移動距離で同一方向に連動させる右扉連動装置と、左右内扉を１対１の移動距離で、相反する方向に連動させる内扉連動装置を左右扉連動装置の上方に構成し、内扉連動装置は、左右外扉が閉鎖した状態で、左右外扉の戸尻側端部上方で固定壁に連結された内扉連動用左右滑車取付け金具に取付けられた内扉連動用左右滑車と、内扉連動用左右滑車に平行に掛け渡された左右内扉連動用ワイヤーを有し、左右内扉の戸先側端部に設けられた左右内扉戸先側吊り座が、前後ワイヤー左右連結座を介して左右内扉連動用ワイヤーの前後で連結されていることを特徴とする引戸。
【請求項２】
左右戸袋部を通路側に突出した状態に設けた事を特徴とする請求項１に記載の引戸。
【請求項３】
左右内扉戸先側吊り座に左右内扉戸先側振れ止め装置を設けたことを特徴とする請求項２に記載の引戸。
【請求項４】
左右内扉戸先側吊り座のいずれか一方に、フリーストッパーか全開時停止ローラーを設けたことを特徴とする請求項３に記載の引戸。
【発明の詳細な説明】
【技術分野】
【０００１】
本発明はスイング式の開き戸に代わる引戸に関するもので、特に、スタッフ及びスタッフの付き添いがあれば患者等が使用できるエリア（以下、スタッフエリアと云う。）と部外者（患者等）がスタッフの付き添いがなくても使用できるエリア（以下、共用エリアと云う。）を区画するため、特に病院等の通路を仕切る引戸に関するものである。
【背景技術】
【０００２】
従来、病院等の通路にもうけられ、スタッフエリアと共用エリアを仕切る扉は、スイング式の開き戸が一般的である。しかしながら、スイング式の開き戸は、開放した扉が開放側に大きく飛び出すので、開放側の人の存否を確認してから開く必要がある。余裕のある時は、そのような確認は無意識のうちに行っているので、さしたる不便は感じない。
しかしながら、多忙になると注意を怠り、確認しないまま開放する傾向があり、開放側の人に、開放された扉がぶつかる危険があった。
一方、引戸の場合は、開放された扉を収納する扉幅とほぼ同じ幅の戸袋部が必要となるので、この戸袋部を通路側に突出させると、通行可能域は通路幅の略半分となる。
従って、十分な通行可能域を確保しようとすると、戸袋部を廊下と直交する形で壁面内に埋め込む必要があった。
これは、建築工事と同時に行う必要があり、現実的ではなかった。
【０００３】
又、通行可能域を確保しつつ、戸袋幅を小さくしたものとして、引戸と引戸収納壁を備えた壁収納型引戸装置が提供されている。この引戸は前後に区分され、前方の前扉は、後方の後扉内に収納可能で、後扉は前扉を収納した状態で引戸収納壁に収納可能としたものである。（特許文献１参照）
この場合、スタッフエリアと共用エリアを仕切る仕切用の引戸として用いると、通路の一方よりに偏った位置に通行可能域が形成されることとなりストレチャーの通過などに支障をきたすこととなる。
又。廊下の左右側に設けられた手摺が仕切用の引戸の箇所で、一方側のみしか連続して設置できない問題があった。
【先行技術文献】
【特許文献】
【０００４】
【特許文献１】特開２０００−１９２７４０号公報
【発明の概要】
【発明が解決しようとする課題】
【０００５】
本発明は、簡単な構造で、通路の左右側に戸袋部を突出させても、通路の中央部に十分な通行可能域を確保し、通路の左右側両方で、スタッフエリアと共用エリアに連続する手摺を通路の左右側両方で設置可能とした、通路等を仕切る引戸を提供することを課題とする。
【課題を解決するための手段】
【０００６】
上記課題を解決する為、本発明が第１の手段として構成したところは、左右戸袋部と、開放時に左右戸袋部に収納される左右外扉と、開放時に左右外扉に収納される左右内扉と、左外扉と左内扉を１対２の移動距離で同一方向に連動させる左扉連動装置と、右外扉と右内扉を１対２の移動距離で同一方向に連動させる右扉連動装置と、左右内扉を１対１の移動距離で、相反する方向に連動させる内扉連動装置を左右扉連動装置の上方に構成し、内扉連動装置は、左右外扉が閉鎖した状態で、左右外扉の戸尻側端部上方で固定壁に連結された内扉連動用左右滑車取付け金具に取付けられた内扉連動用左右滑車と、内扉連動用左右滑車に平行に掛け渡された左右内扉連動用ワイヤーを有し、左右内扉の戸先側端部に設けられた左右内扉戸先側吊り座が、前後ワイヤー左右連結座を介して左右内扉連動用ワイヤーの前後で連結されているものである。  
【０００７】
次ぎに上記課題を解決する為、本発明が第２の手段として構成したところは、上記第１の手段に加えて、左右戸袋部を通路側に突出した状態に設けたものである。
【０００８】
次ぎに上記課題を解決する為、本発明が第３の手段として構成したところは、上記第２の手段に加え、左右内扉戸先側吊り座に左右内扉戸先側振れ止め装置を設けたものである。
【０００９】
次ぎに上記課題を解決する為、本発明が第４の手段として構成したところは、上記第３の手段に加え、左右内扉戸先側吊り座のいずれか一方に、フリーストッパーか全開時停止ローラーを設けたものである。
【発明の効果】
【００１０】
請求項１に記載の発明によると、引戸は、左外扉と左内扉及び右外扉と右内扉をそれぞれ、１対２の移動距離で同一方向に連動させる左右扉連動装置と、左右内扉を１対１の移動距離で、相反する方向に連動させる内扉連動装置を有しているので、左右内扉を連動させるだけで、左右内扉と左右外扉を左右戸袋部に収納する事が出来、小さな戸袋部で大きな開放幅を得る事ができる。
内扉連動装置を左右扉連動装置の上方に構成しているので、配設箇所が広くとれるので、配設作業が容易である。
内扉連動装置の内扉連動用左右滑車は、左右外扉が閉鎖した状態で、左右外扉の戸尻側端部上方で固定壁に連結された内扉連動用左右滑車取付け金具に取付けられているので、左右戸袋部に影響されずに外部からの取付け、取外し、位置調節を簡単に行うことが出来る。
左右内扉戸先側吊り座が、前後ワイヤー左右連結座を介して前後の内扉連動用ワイヤーと連結されているので、外部からの連結、ワイヤーの前後での連結作業が容易に行う事が出来ると共に、前後ワイヤー左右連結座を同形とし、左右を共用することができる。
【００１１】
請求項２に記載の発明によると、請求項１に記載の効果に加え、左右戸袋部が通路側に突出した状態に設けられているので、従来の引戸と同様、建物の内装仕上げの時に引戸の設置ができるので、建築物に影響を及ぼす事がなく、通路の中央部に、戸袋部の略２倍の通過可能域を構成できるので、ストレッチャー等の通過も容易である。
又、本発明の引戸を閉鎖することで、スタッフエリアと共用エリアの区画を簡単、確実に行う事が出来、引戸に認証装置などのセキュリティ機能を設ければ、患者が誤って、スタッフエリアに入ることもなく、院内感染等の予防にも役立つ。又、戸袋部の前後面に手摺を設けることも出来るので、スタッフエリアと共用エリアに通路側手摺と戸袋側手摺が連設することとなり、障害者のスタッフエリアへの通行にも安全である。
【００１２】
請求項３に記載の発明によれば、上記請求項１に記載の効果及び上記請求項２に記載の効果に加え、左右内扉戸先側吊り座に左右戸先側振れ止め装置を設けたので、左右内扉戸先側の振れが防止されるとともに、左右内扉戸先側振れ止め装置の取付けと、ワイヤー前後連結座とワイヤーの前後での連結作業が同じ位置で、同時に行えるので作業能率が良い。
【００１３】
請求項４に記載の発明によれば、上記請求項１に記載の効果及び上記請求項２に記載の効果、請求項３に記載の効果に加え、左右内扉戸先側吊り座のいずれか一方に、フリーストッパー装置か全開時停止ローラーを設けるだけ、ストレチャーの通過時には簡単に全開状態か、あるいは所望の通過可能開口を得ることが出来、しかも、他方の内扉、外扉も同時に同様の状態とすることが出来、左右戸先側振れ止め金具の取付けと、ワイヤー前後連結座とワイヤーの前後での連結作業と、フリーストッパー、あるいは、全開時停止ローラーの取付け作業を同じ位置で、同時にする事ができるので、作業能率が良い。
【図面の簡単な説明】
【００１４】
【図１】図１は、本発明の閉鎖状態の正面略図である。
【図２】図２は、本発明の開放状態の正面略図である。
【図３】図３は、閉鎖状態の各部材の位置を示す正面略図である。
【図４】図４は、開放状態の各部材の位置を示す正面略図である。
【図５】図５は、閉鎖状態の各部材の位置を示す斜視図である。
【図６】図６は、左内扉戸先側吊り座を示す斜視図である。
【図７】図７は、本発明の要部縦断面図である。
【図８】図８は  本発明の閉鎖状態の要部横断面図である。
【図９】図９は、本発明の開放状態の要部横断面図である。
【図１０】図１０は、右内扉戸先側振れ止め金具を示す要部縦断面図である。
【図１１】図１１は、右外扉戸先側振れ止め金具を示す要部縦断面図である。
【発明を実施するための形態】
【００１５】
左右戸袋部と、開放時に左右戸袋部に収納される左右外扉と、開放時に左右外扉に収納される左右内扉と、左外扉と左及び右外扉と右内扉をそれぞれ、１対２の移動距離で同一方向に連動させる左右扉連動装置と、左右内扉を１対１の移動距離で、相反する方向に連動させる内扉連動装置を有し、内扉連動装置は、左右外扉が閉鎖した状態で、左右外扉の戸尻側端部上方で固定壁に連結された内扉連動用左右滑車と、内扉連動用左右滑車に平行に掛け渡された左右内扉連動用ワイヤーを有し、左右内扉の戸先側端部に設けられた左右内扉戸先側吊り座が、ワイヤー前後連結座を介して左右内扉連動用ワイヤーの前後で連結され、左右戸袋部は壁面と直交して通路側に突出した状態に設けられ、左右内扉戸先側吊り座のいずれか一方に、フリーストッパー装置か全開時停止ローラーを設けたものである。
【実施例】
【００１６】
以下、第実施例を添付図面に基づいて詳述する。
図１〜図４、図７、図８、図９において、符号１は、病院等の通路を共用エリアとスタッフエリア（以下、共用エリアとスタッフエリアの両方をあらわす場合は、両エリアと云う。）に仕切る形で、通路の壁面に直交して設けられた引戸枠を示している。
引戸枠１は、通路の壁面に埋め込まれた建物用鉄骨にブラケットを介して固定された左右戸尻側縦枠１３、１３と、左右戸尻側縦枠１３、１３の上端間に、建物用鉄骨にブラケットを介して配設された左右上枠１５、１５と、左右戸尻側縦枠１３、１３間で、左右上枠１５、１５のそれぞれの中間位置に、左右上枠１５、１５の共用エリア側（実施例では点検側、いわゆる、引戸等の吊り込み側）とスタッフエリア側の両面に上端が固定され、下端部が床面に埋め込まれた、両エリア側に所定間隔を有する左右共用エリア側中枠３、３と左右スタッフエリア側中枠３０、３０と、左右共用エリア側中枠３、３の上端間で、上枠１５の上端の共用エリア側の面に連結され、共用エリア側に突出する中央上框１５０より構成されている。
符号１５１は、左右上枠１５、１５を中央部で連結する連結補強金具を示している。
【００１７】
以下、左戸尻側縦枠１３と左室内外側中枠３、３０間を左戸袋部１０、右戸尻側縦枠１３と右両エリア側中枠３、３０間を右戸袋部２０、左両エリア側中枠３、３０と右両エリア側中枠３、３０間を通行口、共用エリア側中枠３からスタッフエリア側中枠３０の方向を前後方向、左右両エリア側中枠３、３、３０、３０と左右戸尻側縦枠１３、１３の方向を開閉方向と云う。
尚、実施例では、便宜上、点検側を共用エリア側として説明しているが、設置場所に対応して点検側をスタッフエリア側としても良い事は云うまでもない。
【００１８】
図２、図３、図７において、符号２、２は、上枠１５のスタッフエリア側の縦面壁１５２の共用エリア側の面に、通行口側を低く、左右戸袋部１０、２０側を高く所定の角度に傾斜してネジ止め連結されている左右レール取付材を示している。
符号５、５は、左右のレール取付材２、２のスタッフエリア側の面に、通行口側を低く、左右戸袋部１０、２０側を高く所定の角度に傾斜して連結された左右外扉用レール部材を示している。左右外扉用レール部材５、５は、左右に対向した同形に形成されている。
【００１９】
符号５０、５０は、上方に突出する軌条からなり、左右のレール取付材２、２の上面に
通行口側を低く、左右戸袋部１０、２０側を高く所定の角度に傾斜して取付けられた、左右内扉用レール部材を示し、符号６、６は、左右外扉用レール部材５、５に吊り下げられた左右外扉を示し、符号６０、６０は左右内扉用レール部材５０、５０に吊り下げられた左右内扉を示している。
すなわち、左右外扉６、６と左右内扉６０、６０は、左右外扉用レール部材５、５及び左右内扉用レール部材５０、５０の傾斜によって、常に閉鎖方向に移動するよう付勢されている。
【００２０】
そして、左右扉連動装置８、８（図５に示す。）によって、左内扉６０と左外扉６及び右内扉６０と右外扉６は、同一方向に２対１の移動距離となるよう連動し、内扉連動装置９（図５に示す。）によって、左右内扉６０、６０は、反対方向に１対１の移動距離となるよう連動している。
符号１６、１６は、左右戸袋部１０、２０の床面全幅にわたって固定された左右ベース材を示している。
【００２１】
そして、左右ベース材１６、１６の出入口側端部に、左右スタッフエリア側中枠３０、３０、左右共用エリア側中枠３、３間でやや通行口側に突出して、左右外扉６、６の下端部の振れを阻止する左右床面ガイドローラー６００、６００が設けられている。
図１〜図４において、符号４・・・は、左右戸袋部１０、２０の左右両エリア側の両面上下方向に所定間隔を有して配設された下地桟を示している。
図７において符号１７は、中央上框１５０の下方側に着脱自在に取付けられる点検パネルを示し、符号１９は、左右上枠１５、１５のスタッフエリア側の通行口に位置して設けられるスタッフエリア側ランマ下地パネルを示している。
符号１００は、下地材４・・・、及び、スタッフエリア側ランマパネル下地パネル１９等の表面に設けられた通路面等の壁面と同じ化粧パネルを示している。
すなわち、各中柱３０、３の通行口側端部と、中央上框１５０の通行口側と共用エリア側の端面と、点検パネル１７と、スタッフエリア側ランマパネル下地パネル１９の通行口側端部以外は化粧パネルで隠蔽される。
図８、図９において、符号１３０は、右戸尻側縦枠１３の戸先側端面に設けられた、右外扉６全開時に、右外扉６の戸尻側端面が当接する開放時外扉緩衝部材を示し、符号１３１は、右内扉６０の戸尻側端面に設けられた、右内扉６０の全開時に、右外扉６の戸尻側端部の内面に当接する開放時内扉緩衝部材を示している。
開放時外扉緩衝部材１３０と開放時内扉緩衝部材１３１は、左戸尻側縦枠１３、左内扉６０にも設けられている。
【００２２】
左右外扉６、６、左右内扉６０、６０及び、左右扉連動装置８、８、左右外扉６、６、左右内扉６０、６０に取付けられる各部材は左右対称形であり、又、左右対称に配設されているので、以下、右外扉６、右内扉６０側についてのみ説明する。
右外扉６は、図７、図８、図９に示す如く、内部に右内扉６０が収納可能な空間が形成されるよう所定間隔を隔てて前後方向に対向して配設された両エリア側右パネル板６１、６２と、両エリア側右パネル板６１、６２の下端部間に連結される右外扉底板６４と、共用エリア側右パネル板６１の上端とスタッフエリア側右パネル板６２の上端部間に連結される右外扉天板６５と、両エリア側右パネル板６１、６２の戸尻側端部間の、戸尻側端面を閉塞する右外扉後板６６より構成されている。
【００２３】
右外扉底板６４は、共用エリア側右パネル板６１とスタッフエリア側右パネル板６２間の中央部が上方に突出し、下面が右外扉６の開閉方向全幅に渡って開口し、下方から前記右床面ガイドローラー６００が嵌合する右床面ガイドローラー嵌合溝６３を有し、右床面ガイドローラー嵌合溝６３の上方で、右外扉底板６４の戸先側端部に、右内扉６０の振れを阻止する右内扉ガイドローラー６７が戸先側に突出して設けられている。
【００２４】
右外扉天板６５は、図５に示す如く、上端面の共有エリア側に、右内扉戸尻側吊り座６０１が開閉方向に移動可能なよう、開閉方向にわたって開口する右内扉移動用開口６５２を有している。
そして、右外扉天板６５の上端面には開閉方向に所定間隔を有して上方に突出する右外扉吊り下げボルト６５６、６５６が取り付けられている。
【００２５】
右内扉６０は、図５、図７に示す如く全体がパネル形状をなし、戸先側端面には、戸先側端面が横断面略三角形に突出する、ゴム材等の弾性材からなる戸当り部６０２が取付けられ（左内扉６０の戸先側端面には、戸当り部６０２に対応して戸当たり受け部６０３が設けられている。）、戸先側端面が嵌合溝閉塞部（図示せず。）によって閉塞され、戸尻側端部が開口し、右内扉ガイドローラー６７が嵌合する右内扉ガイドローラー嵌合溝６０４が下端面の開閉方向に形成され、右内扉用レール部材５０に吊り下げるための右内扉戸尻側吊り座６０１、右内扉戸先側吊り座６０５が、開閉方向に所定間隔を有して上端面に取付けられている。
【００２６】
右外扉６と右内扉６０は上記の如く構成され、点検パネル１７が取外された状態で、後記する右扉連動装置８の右外扉戸尻側連動用滑車８０が右外扉天板６５の戸尻側上面に回転自在に取付けられた状態で、右外扉６を右外扉用レール部材５に吊り下げた後、戸先側より右内扉６０を嵌入して、右内扉６０を右内扉用レール部材５０に吊り下げる。
【００２７】
すなわち、右外扉用レール部材５は、右外側用レール部材５は、右レール取付材２に連結される右外扉６の開閉寸法よりやや長めの固定側レールと、複数個のボールを介して固定側レールに摺動自在に保持された、右外扉６の幅寸法（開閉方向の寸法）の略半程度の長さに形成された右移動側レールより構成され、右移動側レールには右外扉６を吊り下げるための右外扉支持金具２１が連結されている。
【００２８】
そして、右床面ガイドローラー６００を右床面ガイドローラー嵌合溝６３に嵌合させた状態で、右外扉６の右外扉天板６５の上面に取付けた右外扉吊り下げボルト６５６、６５６の頭部を、右扉支持金具２１に形成された共有エリア側が開口する係止孔の上側に係止するよう、螺軸部を共有エリア側から嵌入して、右外扉用レール部材５に右外扉６を吊り下げ、吊り下げボルト６５６、６５６の頭部を回動して、右外扉６の高さを調節した後、蓋片６５７を取付けることによって、右外扉吊り下げボルト６５６の廻り止めと、点検パネル１７側への移動が阻止される。
【００２９】
次ぎに、右外扉６の戸先側から、右内扉６０の右内扉ガイドローラー嵌合溝６０４に右内扉ガイドローラー６７を嵌合しながら嵌入し、右内扉６０の戸先側端部上面に取付けた右内扉戸先側吊り座６０５のスタッフエリア側に回転自在に取付けられた右内扉戸先側吊り下げ用滑車６０６を右内扉レール部材５０に吊り下げ、次ぎに、右外扉６の右外扉天板６５に形成された右内扉移動用開口６５２から、右内扉戸尻側吊り座６０１を右内扉６の戸尻側上面に連結した後、右内扉戸尻側吊り座６０１のスタッフエリア側に回転自在に取付けられた右内扉戸尻側吊り下げ用滑車６０７を右内扉レール部材５０に吊り下げる。
そして、次ぎに右扉連動装置８を配設する。符合６０８、６０８は、右内扉戸先側吊り座６０５、右内扉戸尻側吊り座６０１に設けられた、右内扉戸先側吊り下げ用滑車６０６、右内扉戸尻側吊り下げ用滑車６０７が、右内扉レール部材５０から浮き上がるのを防止する浮き上がり防止ネジを示している。
【００３０】
右扉連動装置８は、右外扉戸尻側連動用滑車８０、右外扉戸先側連動用滑車８１、右扉連動用ワイヤー８４より構成されている。
すなわち、戸先側端部にエアーシリンダー当たり８２が形成され、エアーシリンダー当たり８２の戸尻側で、右外扉戸尻側連動用滑車８０と同じ右外扉戸先側連動用滑車８１が、上面に回転自在に取付けられた右滑車取付け用金具８３を、戸先側に突出して、右外扉天板６５の戸先側端部に仮連結する。
【００３１】
そして、右扉連動用ワイヤー８４の一端を、右外扉６の閉鎖時で、右外扉戸尻側連動用滑車８０のやや戸先側の固定壁（右上枠１５）に連結し、他端を右外扉戸尻側連動用滑車８０に外側より掛け渡した後、右内扉戸尻側吊り座６０１の共用側エリア側の面から右外扉戸先側連動用滑車８１に外側から掛け渡した後、すでに固定壁（縦面壁１５２の共用エリア側の面）に連結された端部のやや戸先側に固定し、右扉連動用ワイヤー８４の張り具合を調節しながら（右外扉天板６５に仮連結された右滑車取付け用金具８３の戸先側への突出量を調整した後、右滑車取付け用金具８３を右外扉天板６５に連結する。）、右内扉戸尻側吊り座６０１の共用エリア側の面に、一方を上側、他方を下側とした片たすき状に掛け渡し、連結ネジ８４０、８４０にて２箇所で連結する（図５に示す）。すなわち、連結ネジ８４０、８４０に右扉連動用ワイヤー８４を片たすき状に掛け渡しているので、右内扉戸尻側吊り座６０１から右扉連動用ワイヤー８４が不用意に外れるのを防止している。
【００３２】
次ぎに、右外扉６の右外扉天板６５の戸先側端部と戸尻側端部の上面に、上方が開口す
る二股状の右外扉戸先側振れ止め金具８７と右外扉戸尻側振れ止め金具８８が取付けられ、右内扉戸先側吊り座６０５のスタッフエリア側の面に、右内扉戸先側振れ止め装置８９が取付けられる。
【００３３】
右外扉戸先側振れ止め金具８７と右外扉戸尻側振れ止め金具８８は同じものであるので、以下、一方側についてのみ説明する。
右外扉戸先側振れ止め金具８７は、共有エリア側が開口する略横向きコ字形の基台８７１と、基台８７１の上面に連結された、前後突片８７２、８７３と、前後突片８７２、８７３の上端部に被せられた合成樹脂製の緩衝部材８７４、８７４よりなる振れ止め座８７５構成される。
そして、右レール取付材２の下面に設けられた右外扉振れ止め材５２の共用エリア側の端部で、右外扉用レール部材５の下方に位置して、右外側扉６の開閉幅全幅にわたって下方に突出する右外扉振れ止め突片５１の前後を、前後突片８７２、８７３が挟むように、複数枚のライナー８７０によって、前後突片８７２、８７３の高さ位置が調節され、右外側天板６５の戸先側の上面に連結される。
符号８７６は振れ止め座８７５の底部で右外扉振れ止め突片５１の下方に位置し、右外扉振れ止め突片５１との接触時の緩衝を行う合成樹脂材からなる緩衝用滑子を示している。
【００３４】
右内扉戸先側振れ止め装置８９は  スタッフエリア側で、上方に突出する右上向き突片８９１と、右連結用突片８９２からなる略右上向きコ字形の右振れ止め用金具８９０と、右上向き突片８９１の上端部に被せられた合成樹脂製の緩衝部材８９５と、右上向き後突片８９１の所定寸法共用エリア側に位置する、合成樹脂製の袋ナットからなる右緩衝用頭部８９３と、右緩衝用頭部８９３が先端に螺着し、右内扉戸先側吊り座６０５に形成された螺孔に螺合し、スタッフエリア側の先端に右緩衝用頭部８９３が螺着し、共用エリア側から螺合状態を調節して、右上向き後突片８９１と右緩衝用頭部８９３の間隔を調整する右調整ボルト８９４より構成されている。
尚、右振れ止め用金具８９０の右連結用突片８９２の開閉方向の中央部には、右調整ボルト８９４の挿通用切り欠きが形成されている。
符号８９６は右振れ止め用金具８９０の底部で右外扉振れ止め突片５１の下方に位置し、止め突片５１との接触時の緩衝を行う合成樹脂材からなる緩衝用滑子を示している。
【００３５】
次ぎに、ローラー取付け金具７１を介して右内扉戸先側吊り座６０５スタッフエリア側に、ローラー取付け金具７１を介して全開時停止ローラー７２がとりつけられ、全開時停止ローラー７２に対応して、右内扉６０の全開時に前記全開時停止ローラー７２が弾性的に係止する、戸先側端部にへの字形の弾性係止突起を有する、板バネ材で形成された全開時ストッパー７３が固定壁（縦面壁１５２の共用エリア側の面）に取付けられている。
【００３６】
すなわち、全開時停止ローラー７２と全開時ストッパー７３で全開時停止装置が構成され、フリーストッパー装置７と同様、後記する内扉連動装置９によって、左右内扉６０、６０の何れか一方側にのみ設けることによって、ストレッチャー等の通過時、あるいは、医療機器の搬入時、移動時に、左右外扉６、６と左右内扉６０、６０を全開状態、あるいは所望の通行可能域を維持することが出来る。
【００３７】
フリーストッパー装置７は、図６に示すように、摩擦係数が大きく弾性を有す下側を重く形成したゴム等材料より形成される接触子７５と、接触子７５の上端部を回動自在に支持し、左内戸先側吊り座６０５と連結される接触子支持金具７６より構成され、常時は接触子７５が左内扉６０の移動可能方向に傾斜した状態で、接触子７５の下端面が左内扉用レール部材５０の上面に接触しながら移動し、左内扉６０が停止した状態で接触子７５は摩擦によって突っ張った状態となり、内左扉６０は自閉機能に抗して、停止状態を維持する。
【００３８】
そして、内左扉６０閉鎖方向に移動させる場合は、閉鎖方向に力を加えて接触子７５を変形させて、接触子７５と接触子支持金具７６の回動支点を閉鎖側に移動させ、接触子７５の傾斜方向を反対にすると、自閉機能によって、左内扉６０は自閉する。
尚、符号７７は接触子７５が不測に一回転しないよう、又、接触子７５を故意に反対方向に回転させて、左内扉用レール部材５０に接触しない状態に保持し、フリーストッパー機能を解除するためのフリーストッパー解除用突起である。
【００３９】
次ぎに、左右内扉６０、６０間に内扉連動装置９が配設される。
内扉連動装置９は、閉鎖状態の左右外扉６、６の戸尻側端部上方で固定壁（縦面壁１５２の共用エリア側の面）側に内扉連動用左右滑車取付け金具９０、９０を介して固定壁側（縦面壁１５２の共用エリア側の面）に設けられた内扉連動用左右滑車９１、９１と、内扉連動用左右滑車９１、９１に平行に掛け渡された左右内扉連動用ワイヤー９３と、左右内扉６０、６０の左右内扉戸先側吊り座６０５、６０５を、左右内扉連動用ワイヤー９３の前後側と連結させる、前後ワイヤー左右連結座９４、９４より構成されている。
【００４０】
内扉連動用左右滑車取付け金具９０、９０は左右に対向した同形に形成されているので、内扉連動用右滑車取付け金具９０についてのみ説明する。
内扉連動用右滑車取付け金具９０は、戸先側端部に開閉方向に長孔とした連結孔９０１、９０１を戸先側端部に有する連結基板９０２と、連結基板９０２の上端に連設され戸尻側端部に滑車連結突部９０４を有する水平突壁９０３より形成されている。
そして、滑車連結突部９０４の下面に回転自在に内扉連動用右滑車９１が取付けられ、連結孔９０１、９０１が両エリア中枠３、３０の通行口側に位置した状態で上枠１５の縦壁面１５２の共用エリア側の面に連結される。
【００４１】
前後ワイヤー左右連結座９４、９４は左右で共用するため同形に形成されているので前後ワイヤー右連結座９４についてのみ説明する。
前後ワイヤー右連結座９４は、右内扉戸先側吊り座６０５の共用エリア側の面に連結される連結用下方基板９４１と、連結用下方基板の上端に連設されスタッフエリア側に突出するワイヤー連結部９４２よりなり、ワイヤー連結部９４２には左右内扉連動用ワイヤー９３の平行部分の前後間隔と等しい前後間隔を有して前後連結用螺孔９４３、９４３が形成され、左右内扉連動用ワイヤー９３をワイヤー連結部９４２の上面側に位置した状態で、左右内扉６０、６０の一方が、前後に平行な左右内扉連動用ワイヤー９３の前側の箇所で、下方から連結ネジ９４４で連結されると、他方側は後側の箇所で下方から連結ネジ９４４で連結される事となる。
【００４２】
次ぎに、上枠１５の縦壁面１５２の共用エリア側に右滑車取付け用金具８３のエアーシリンダー当たり８２に対応してエアーシリンダー１５３を固定壁（縦面壁１５２の共用エリア側の面）に取付け、左右内扉６０、６０、の連動、左右外扉６、６の連動、閉鎖スピードの調整（左右外扉用レール部材５、５、左右内扉用レール部材５０、５０）閉鎖時のブレーキ調整、吊り下げ高さ、振れ止め状態等々の微調整を行った後、浮き上がり防止ネジ６０８、６０８を螺合し、点検パネル１７をとりつける。
【符号の説明】
【００４３】
１          引戸枠
１０        左戸袋部
２、２      左右レール取付材
２０        右戸袋部
５、５      左右外扉用レール部材
５０、５０  左右内扉用レール部材
６、６      左右外扉
６０、６０  左右内扉
７          フリーストッパー装置
８、８      左右扉連動機構
９          内扉連動装置
９０、９０  内扉連動用左右滑車取付け金具
９１、９１  内扉連動用左右滑車
９３        左右内扉連動用ワイヤー
９４、９４  前後ワイヤー左右連結座９４、９４
【図１】
0005762722.tif 000002
【図２】
0005762722.tif 000003
【図３】
0005762722.tif 000004
【図４】
0005762722.tif 000005
【図５】
0005762722.tif 000006
【図６】
0005762722.tif 000007
【図７】
0005762722.tif 000008
【図８】
0005762722.tif 000009
【図９】
0005762722.tif 000010
【図１０】
0005762722.tif 000011
【図１１】
0005762722.tif 000012